【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
ユーザ機器(UE)のための装置であって、
電力ヘッドルーム報告(PHR)メディアアクセス制御(MAC)制御要素を格納するように構成されるメモリと、
ベースバンドプロセッサであって、
電力ヘッドルーム報告(PHR)メディアアクセス制御(MAC)制御要素を生成し、
前記電力ヘッドルーム報告(PHR)メディアアクセス制御(MAC)制御要素は、
複数のCフィールドを含む1つ又は複数の第1のオクテットであって、前記第1のオクテットの数は、前記ユーザ機器(UE)と関連するサービングセル(SCell)の数に基づいており、各々のCフィールドは、サービングセル(SCell)ごとの電力ヘッドルーム(PH)の存在を示す、1つ又は複数の第1のオクテット、及び、
1つ又は複数の第2のオクテットであって、前記第2のオクテットの各々は、前記Cフィールドのうちの1つに対応するサービングセル(SCell)についての電力ヘッドルーム(PH)の値を含む、1つ又は複数の第2のオクテットを含み、そして、
無線通信ネットワークのための、前記電力ヘッドルーム報告(PHR)メディアアクセス制御(MAC)制御要素を含むメッセージを符号化する、
ように構成される、
ベースバンドプロセッサと、を含む、
装置。
【請求項２】
前記1つ又は複数の第1のオクテットは、
8個よりも少ないサービングセル(SCell)が存在する場合には、1つのオクテットを含み、
8個又はより多くのサービングセル(SCell)が存在する場合には、4つのオクテットを含む、請求項１に記載の装置。
【請求項３】
前記1つ又は複数の第1のオクテットは、単一の確保されているビットを含む、請求項２に記載の装置。
【請求項４】
前記ベースバンドプロセッサは、さらに、論理チャネル識別子を使用してサブヘッダーの中の前記電力ヘッドルーム報告(PHR)メディアアクセス制御(MAC)制御要素を識別するように構成される、請求項１に記載の装置。
【請求項５】
前記1つ又は複数の第2のオクテットは、関連するサービングセル(SCell)のインデックス値に基づいて互いに配列される、請求項１に記載の装置。
【請求項６】
前記1つ又は複数の第2のオクテットは、前記1つ又は複数の第1のオクテットの直後に、Type2  PHフィールドを含むオクテットを含む、請求項１に記載の装置。
【請求項７】
前記電力ヘッドルーム報告(PHR)メディアアクセス制御(MAC)制御要素は、可変のサイズを有する、請求項１に記載の装置。
【請求項８】
前記メモリは、さらに、電力ヘッドルーム(PH)測定値を格納するように構成される、請求項１に記載の装置。
【請求項９】
前記電力ヘッドルーム報告(PHR)メディアアクセス制御(MAC)制御要素は、拡張電力ヘッドルーム報告(PHR)メディアアクセス制御(MAC)制御要素である、請求項１に記載の装置。
【請求項１０】
前記電力ヘッドルーム報告(PHR)メディアアクセス制御(MAC)制御要素は、デュアルコネクティビティ電力ヘッドルーム報告(PHR)メディアアクセス制御(MAC)制御要素である、請求項１に記載の装置。
【請求項１１】
機械読み取り可能な命令を含むコンピュータプログラムであって、前記機械読み取り可能な命令は、進化型NodeB(eNB)の1つ又は複数のプロセッサによって実行されると、前記1つ又は複数のプロセッサに、
ユーザ機器(UE)からの第1のメッセージを復号化する動作であって、前記第1のメッセージは、電力ヘッドルーム報告(PHR)メディアアクセス制御(MAC)制御要素を含む、動作と、
複数のCフィールドを含む前記電力ヘッドルーム報告(PHR)メディアアクセス制御(MAC)制御要素の中の1つ又は複数の第1のオクテットを識別する動作であって、前記第1のオクテットの数は、前記ユーザ機器(UE)と関連するサービングセル(SCell)の数に基づいており、各々のCフィールドは、サービングセル(SCell)ごとの電力ヘッドルーム(PH)の存在を示す、動作と、
前記電力ヘッドルーム報告(PHR)メディアアクセス制御(MAC)制御要素の中の1つ又は複数の第2のオクテットを識別する動作であって、前記第2のオクテットは、サービングセル(SCell)についての電力ヘッドルーム(PH)の値を含み、前記サービングセル(SCell)は、前記Cフィールドによって電力ヘッドルーム(PH)を含むものとして示される、動作と、
前記電力ヘッドルーム報告(PHR)メディアアクセス制御(MAC)制御要素に基づいて、前記ユーザ機器(UE)を構成するための第2のメッセージを符号化する動作と、を実行させる、
コンピュータプログラム。
【請求項１２】
前記1つ又は複数の第1のオクテットは、
8個よりも少ないサービングセル(SCell)が存在する場合には、1つのオクテットを含み、
8個又はより多くのサービングセル(SCell)が存在する場合には、4つのオクテットを含む、請求項１１に記載のコンピュータプログラム。
【請求項１３】
前記1つ又は複数の第1のオクテットは、単一の確保されているビットを含む、請求項１２に記載のコンピュータプログラム。
【請求項１４】
前記機械読み取り可能な命令は、さらに、前記1つ又は複数のプロセッサに、論理チャネル識別子を使用してサブヘッダーの中の前記電力ヘッドルーム報告(PHR)メディアアクセス制御(MAC)制御要素を識別する動作を実行させる、請求項１１に記載のコンピュータプログラム。
【請求項１５】
前記1つ又は複数の第2のオクテットは、関連するサービングセル(SCell)のインデックス値に基づいて互いに配列される、請求項１１に記載のコンピュータプログラム。
【請求項１６】
前記1つ又は複数の第2のオクテットは、前記1つ又は複数の第1のオクテットの直後に、Type2  PHフィールドを含むオクテットを含む、請求項１１に記載のコンピュータプログラム。
【請求項１７】
前記電力ヘッドルーム報告(PHR)メディアアクセス制御(MAC)制御要素は、可変のサイズを有する、請求項１１に記載のコンピュータプログラム。
【請求項１８】
前記電力ヘッドルーム報告(PHR)メディアアクセス制御(MAC)制御要素は、拡張電力ヘッドルーム報告(PHR)メディアアクセス制御(MAC)制御要素又はデュアルコネクティビティ電力ヘッドルーム報告(PHR)メディアアクセス制御(MAC)制御要素のうちの1つである、請求項１１に記載のコンピュータプログラム。
【請求項１９】
ユーザ機器(UE)のための装置であって、
有効化/無効化メディアアクセス制御(MAC)制御要素を格納するように構成されるメモリと、
ベースバンドプロセッサであって、
メディアアクセス制御(MAC)プロトコルデータユニット(PDU)制御要素によって前記有効化/無効化メディアアクセス制御(MAC)制御要素を識別し、
複数のCフィールドを含む前記有効化/無効化メディアアクセス制御(MAC)制御要素の1つ又は複数の第1のオクテットを復号化し、前記第1のオクテットの数は、前記ユーザ機器(UE)と関連するサービングセル(SCell)の数に基づいており、各々のCフィールドは、対応するサービングセル(SCell)の有効化/無効化状態を示し、
Cフィールドに対応しているとともに有効化状態にあるサービングセル(SCell)との間で前記ユーザ機器(UE)に通信を実行させる、ように構成されるベースバンドプロセッサと、を含む、
装置。
【請求項２０】
前記1つ又は複数の第1のオクテットは、
8個よりも少ないサービングセル(SCell)が存在する場合には、1つのオクテットを含み、
8個又はより多くのサービングセル(SCell)が存在する場合には、4つのオクテットを含む、請求項１９に記載の装置。
【請求項２１】
前記1つ又は複数の第1のオクテットは、単一の確保されているビットを含む、請求項２０に記載の装置。
【請求項２２】
有効化/無効化メディアアクセス制御(MAC)制御要素は、論理チャネル識別子を使用してメディアアクセス制御(MAC)プロトコルデータユニット(PDU)サブヘッダーによって識別される、請求項１９に記載の装置。
【請求項２３】
機械読み取り可能な命令を含むコンピュータプログラムであって、前記機械読み取り可能な命令は、進化型NodeB(eNB)の1つ又は複数のプロセッサによって実行されると、前記1つ又は複数のプロセッサに、
有効化/無効化メディアアクセス制御(MAC)制御要素を生成する動作と、
メディアアクセス制御(MAC)プロトコルデータユニット(PDU)を符号化する動作であって、
前記メディアアクセス制御(MAC)プロトコルデータユニット(PDU)は、
前記有効化/無効化メディアアクセス制御(MAC)制御要素を識別するための論理チャネル識別子を含むサブヘッダー、及び、
複数のCフィールドを含む1つ又は複数のオクテットを含み、前記オクテットの数は、ユーザ機器(UE)と関連するサービングセル(SCell)の数に基づいており、各々のCフィールドは、サービングセル(SCell)の有効化/無効化状態を示す、動作と、
を実行させる、
コンピュータプログラム。
【請求項２４】
前記1つ又は複数のオクテットは、
8個よりも少ないサービングセル(SCell)が存在する場合には、1つのオクテットを含み、
8個又はより多くのサービングセル(SCell)が存在する場合には、4つのオクテットを含む、請求項２３に記載のコンピュータプログラム。
【請求項２５】
前記1つ又は複数のオクテットは、単一の確保されているビットを含む、請求項２４に記載のコンピュータプログラム。
【請求項２６】
請求項１１乃至１８のうちのいずれか１項に記載のコンピュータプログラムが格納されている機械読み取り可能な記憶媒体。
【請求項２７】
請求項２３乃至２５のうちのいずれか１項に記載のコンピュータプログラムが格納されている機械読み取り可能な記憶媒体。